(57)【特許請求の範囲】
【請求項１】
二つのシャンク（１，２）およびそれらの端部に配置されたシャンクアイ（４）を有し、シャンクアイ（４）の少なくとも一つが親指またははさみを操作する一本の指を受け入れるのに役立つ可動なグリップアイ（５；１３）を有し、グリップアイ（５；１３）は全周にわたって所属のシャンクアイ（４）により囲まれかつシャンクアイ（４）に対し垂直に延びる軸線の周りを自由に回転可能でありかつ前記軸線に対し垂直にシャンクアイ（４）に対し回動不能に支承されているはさみ、特に理髪用はさみにおいて、
グリップアイ（１３）は、互いに軸方向に配置された二つのリング半部（１４，１５）と、弾性的な材料からなる内側リング（１６）とから組み立てられ、前記リング半部はそれぞれそれらの外側にある端面に半径方向外方に向かって突出する案内要素（７）を有し、前記内側リング（１６）は両方のリング半部（１４，１５）を内側と外側で少なくとも部分領域において囲むことを特徴とするはさみ。
【請求項２】
両方のリング半部（１４，１５）が金属からなることを特徴とする請求項１によるはさみ。
【請求項３】
両方のリング半部（１４，１５）が少なくともそれらの半径方向外側に摩擦を減らすコーテングを有することを特徴とする請求項２によるはさみ。
【請求項４】
案内要素（７）はそれらの内側に斜角面（８）を有することを特徴とする請求項１から３までのうちのいずれか一つによるはさみ。
【請求項５】
回転可能なグリップアイ（１３）に所属するシャンクアイ（４）はその半径方向内側に周方向に延びる溝（１７）を有することを特徴とする請求項１から４までのうちのいずれか一つによるはさみ。
【請求項６】
弾性的な材料からなる内側リング（１６）はその半径方向内側に同軸に延びる凹部または突起（リブ２０）を有することを特徴とする請求項１から５までのうちのいずれか一つによるはさみ。
【発明の詳細な説明】
本発明は、二つのシャンクと、それらの端部に配置されたシャンクアイとを有し、シャンクアイの少なくとも一つが親指またははさみを操作する一本の指を受け入れるのに役立つ可動なグリップアイを有し、前記グリップアイは全周にわたって所属のシャンクアイにより囲まれかつシャンクアイに対し垂直に延びる軸線の周りを自由に回転可能にかつこの軸線に対し垂直に回動不能にシャンクアイに支承されているはさみ、特に理髪用はさみに関する。
そのようなはさみは、刊行物米国特許第2640264から知られている。このはさみでは、グリップアイがシャンクアイの内側に球軸受により支承されている。この球軸受により、一方では自由な回転が可能でありかつ他方では回転軸線に対し垂直に回動不能な、シャンクアイ内のグリップアイの座が可能になる。はさみを操作する親指にまたは指にグリップアイを人間工学上適応させるためにグリップアイを交換しなければならないが、このことは周知の支承部に基づいて直ちに可能ではなくかつ球を遠ざけることによってしかできない。さらに、はさみをグリップアイなしでは用いることもできない。
可動なグリップアイを有する他の種類のはさみは、刊行物のドイツ連邦共和国特許公告第28 11 398号から知られている。この刊行物に記載されたグリップアイは外側が球形に設計されかつ対応して形成された軸受に支承されている。グリップアイに所属するシャンクアイはグリップアイを半径方向に挿入するために二股状に形成されている。その場合、可動なグリップアイはシャンクアイに対し垂直に延びる軸線の周りを回転可能でもありかつこの軸線に対し垂直に傾動可能でもあるので、親指がはさみを使用する際にグリップアイに対して相対運動を実施しかつはさみをより長く間断なく使用しても親指に押圧箇所が生じない。
しかしながら、このはさみで不利な点は、シャンクに対するグリップアイの同時の回転可能性と揺動可能性によりはさみの案内制御が害されかつ親指にとって大きすぎる運動遊び空間が生じ、この運動遊び空間ははさみを操作する者により攪乱するように感じられる。さらに、二股状に形成されたシャンクアイには、グリップアイがこのシャンクアイから弛められて、髪がシャンクアイとグリップアイの間に挟まる可能性があるという欠点がある。さらに、軽い汚れまたは他の粒子がシャンクアイとグリップアイの間のシャンクアイの開放した範囲から到達し得る。はさみを可動なグリップアイなしで用いることがしばしば望ましいことであり得るが、しかしながらこのことは二股状に形成されたシャンクアイにおいても可能ではない。
本発明は、できるだけ正確に導入可能であり、選択的に種々のグリップアイでまたはグリップアイなしでも使用可能でありしかもグリップアイが所属のシャンクアイに確実に位置決め可能である、冒頭に述べた種類のはさみを提供することを課題の基礎とする。
上記の課題は、本発明により、グリップアイがその両側に半径方向外方に向かって突出する案内要素を有し、この案内要素は側方でシャンクアイに密接し、かつ弾性的な材料で形成されていることにより、シャンクアイに対し垂直に延びる軸線の方向においてこのシャンクアイにスナップ嵌め可能でありかつこれから再び取り外すことが可能であることにより解決される。
弾性的な材料により、グリップアイをその両側に半径方向外方に向かって突出する案内要素でもって迅速にかつ簡単にシャンクアイに固定することができるので、グリップアイは固定位置で自由に回転可能である。グリップアイの両側で半径方向外方に向かって突出する案内要素により、シャンクアイにグリップアイを確実に配置することができるので、グリップアイは回転軸線に対し垂直に回動不能にシャンクアイに支承されている。
合目的には、案内要素がグリップアイをリング状に囲んでいる。
支承するのに特に適しているのは、グリップアイのほぼ円筒状の半径方向の外面であり、この外面は、シャンクアイの同様にほぼ円筒状の半径方向内面に遊びなく密接している。面を比較的簡単な円筒状に形成することにより、ドイツ連邦共和国特許第28 11 398号による非常に多くの費用のかかる湾曲面を避けることができる。この特許公開第28 11 398号では、クランプ領域およびあまりにも多すぎる遊びを有する領域を避けるために対応する半径が同一でなければならない。円筒状の面により、本発明によるはさみでは、グリップアイを、シャンクアイに対し垂直に延びる軸線の方向に小さなまたは非常に僅かな遊びで差し込むことができる。
グリップアイは、案内要素の領域の外側にシャンクアイの中へいっそう容易に入れるための斜角面を有するのが好都合である。いっそう容易に取り外すために、案内要素はその内側にも斜角面を有し、この斜角面は斜角面の外側に配置された斜角面と一致することができる。
グリップアイのための弾性的な材料として、例えば硬い弾性のプラスチック材料、特にテフロン、またはできるだけ柔らかいポリアミドが考慮され、それにより大方は金属のシャンクにおけるグリップアイのわずかな滑り摩擦が得られる。グリップアイは射出成形法で容易に製造することができる。
他方では、本発明による課題は、グリップアイが軸方向に向き合って配置された二つのリング半部と、弾性的な材料からなる内側リングとから組み立てられ、前記リング半部はそれらの外側にある端面に半径方向外方に向かって突出する案内要素を有し、また内側リングは両方のリング半部を内側と外側で少なくとも部分領域で囲む。
この設計には、両方のリング半部が抵抗を克服せずに側方へシャンクアイの中へ遊びなく挿入可能であるという利点がある。両方のリング半部をシャンクアイに保持するために、もっぱら弾性的な内側リングを側方へ導入し、この内側リングは両方のリング半部を内側と外側で握持する。
両方のリング半部は金属からなるのが好ましい。それにより、製造技術的な利点の他に、はさみを使用する際に好ましいと感じられる摩擦値が生ずる。グリップアイとシャンクアイの間の一定の摩擦は、はさみの運動を良好に制御しかつはさみを確実に案内できるのに役立つ。
グリップアイを案内する際にシャンクアイに存在する摩擦を所望の値に減少させる場合に、両方のリング半部の半径方向外面に摩擦を減少させるコーテングを設けることができる。さらに、案内要素の内側に、同様にこの領域の摩擦を減少させる斜角面を有することができる。
好ましい実施において、回転可能なグリップアイに所属するシャンクアイはその半径方向内側に周方向に延びる溝を有し、これらの溝はシャンクアイとグリップアイの間の接触面を減少させかつ汚染粒子を受け入れることにより、同様に摩擦を減少させるように作用する。
グリップアイ内で親指に特に良好な保持を与えるために、弾性的な材料からなる内側リングの半径方向内側に同軸に延びる凹部または突起を設けることができる。
以下、本発明の好ましい二つの実施例を図面により詳細に説明する。
第１図は第一の実施の形態による理髪用はさみの部分図である。
第２図は第１図の線II-IIに沿って切断した断面図である。
第３図は第一の実施例によるグリップアイの平面図（上）と側面図（下）である。
第４図は理髪用はさみの第二の実施例の部分図である。
第５図は第４図の線V-Vに沿って切断した断面図である。
第６図は第４図による実施例の両リング半部の断面図である。
第７図は第４図による実施例の内側リングの断面図である。
第８図は第４図による実施例のシャンクアイの拡大断面図である。
第１図には、第一のシャンク１と第二のシャンク２と有する理髪用はさみを示すが、シャンク１および２はヒンジねじ３により互いに揺動可能に連結されている。シャンク１のシャンクアイ４には、グリップアイ５が配置されており、このグリップアイ５は、グリップアイ５に対し垂直に配置された軸線の周りをシャンクアイ４に対して自由に回動可能である。グリップアイ５はシャンクアイ４により十分広範囲に囲まれている。
第２図から明らかなように、グリップアイ５は円筒状の外面６を有し、この外面の側部は半径方向外方に向かって突出する二つの案内要素７により区画される。この案内要素７は同時にシャンクアイの円筒状面１２を区画しており、この円筒状面１２はグリップアイ５の面６に遊びなく密接している。案内要素７は同様にリング状に形成されている。
グリップアイ５を側方に区画しかつこれに一体に成形された案内要素７は、シャンクアイ４に向けられたその内側に斜角面８を有し、この斜角面は外側でシャンクアイ４に配置された斜角面と対応するので、案内要素７とグリップアイ５の円筒状領域６とがあらゆる側で同一平面上にかつ遊びなく斜角面４に密接している。半径方向外方に向けられた案内要素７の外側１０がその内部に存在する領域でシャンクアイ４の突起１１に案内されており、それにより案内要素７がシャンクアイ４に正確に位置決めされる。案内要素７は、斜角面の風に外側に向かって湾曲した外面９を有するので、グリップアイ５に案内要素７の突起縁ができるのが避けられる。
グリップアイ５は、グリップアイに対し垂直に配置された軸線の方向においてシャンクアイの中へ導入可能でありかつ取り外し可能である。このときに、半径方向外方に向かって突出する案内要素７が弾性的に変形されかつグリップアイ５がその所望位置に配置されるときに、シャンクアイ４の直角に曲げられた領域の中へ係合する。グリップアイ５を容易に導入しかつ取り外すことができるためには、同時にグリップアイをシャンクアイ４の内側で隙間なく案内すること確保するために、案内要素７の内側に配置された斜角面を案内要素の材料の硬度に適応させる。斜角面は傾斜部として一定の勾配で実施することができるかまたは例えば外方に湾曲した面を有することができる。
グリップアイ５は柔らかいテフロン材料で製造され、このテフロン材料は金属のシャンクアイに対してわずかな滑り摩擦係数を有しかつ同時に快適な握り気分が伝達される。グリップアイ５は一体に成形された案内要素７と共に射出成形法で製造される。
第３図に示すように、グリップアイ５は回転対称な外側輪郭および人間工学上の適合された内側輪郭を有するので、グリップアイ５内を導かれる親指に加えられる圧力箇所が避けられる。はさみの第二のシャンク２にも対応するグリップアイを設けることができるのは分かりきったことである。
第４〜８図に示した実施例では、特に図５から明らかなように、グリップアイ１３が、軸方向に相向かって配置されたリング半部１４および１５と、弾性的な材料からなる内側リング１６とから組み立てられており、前記のリング半部はそれぞれそれらの内側にある端面に半径方向外方に向かって突出する案内要素７有し、前記内側リング１６は両方のリング半部１４および１５を内側と外側で案内要素７の領域において囲んでいる。両方のリング半部１４および１５はそれらの内側に向けられた端面で互いに当接している。
第６図に個々に示した両方のリング半部１４と１５は、第１〜３図に示した実施例のようにリング状に形成された案内要素７を有する。これらの案内要素の内側にシャンクアイ４の側方の摩擦を避けるために、斜角面８が設けられている。さらに、金属で製造されたリング半部１４および１５には、例えば窒化チタンからなる、摩擦を減少させるコーテング（図には示されてない）が設けられ、このコーテングは回転可能なグリップアイ１３とシャンクアイ４の間の摩擦をなおさらに減少させる。しかしながら、はさみの取扱い中グリップアイ１３の回転運動を最適に制御可能でありかつはさみを確実に案内可能であるように、定められた摩擦値が望ましい。
定められた摩擦値を保つために、シャンクアイ４の内側に周方向に延びる溝１７が設けられている。さらに、溝１７はシャンクアイ４とリング半部１４および１５との間を移動する汚染粒子を有することにより、シャンクアイ４におけるグリップアイ１３の申し分のない滑りが確保される。
特に第７図から明らかなように、弾性的な材料、例えば可撓性のプラスチックからなる内側リング６はその内面の湾曲した輪郭および側方の端面を有する。その半径方向外面に長方形の溝１８が形成されており、この溝で第５図に示すように、両方のリング半部１４と１５が案内要素７の領域において内側と外側で囲まれる。リング半部１８の側面１９が案内要素７の全高さにわたって延びていることにより、両方のリング半部１４および１５が外方に向かって内側リングの側方のふくらみにより囲まれ、そしてそれにより縁が避けられる。
内側リング１６は好ましくは透明なプラスチックからなるので、事情によっては存在する両方のリング半部１４および１５の色の特徴づけを見ることができる。内側リングは他方では多色のプラスチックからなることができかつ種々の親指の大きさに合わされた色によって異なる大きさを有する。
さらに、第４、５および７図から明らかなように、内側リングはその半径方向内側に小さな同軸に延びるリブ２０が設けられており、これらのリブは親指を回転可能なグリップアイ１３に最適に保持する。
第４〜８図に示したグリップアイ１３は、まずリング半部１４および１５を両側からシャンクアイ４の中へ導入することにより、シャンクアイ４に容易に固定することができる。その後、弾性的な材料からなる内側リング１６を内側から両方のリング半部１４および１５を越えて折り返す。内側リング１６が、両方のリング半部１４および１５に予め半径方向と軸方向の負荷をかけた状態で当接するので、これらのリング半部は定められた圧力の下にばらばらにならないようにまとめられる。上記の順序を逆に行えば、グリップアイ１３が同様にシャンクアイ４から容易に再び取り除くことができる。
【図１】
0003723220.tif 000002
【図２】
0003723220.tif 000003
【図３】
0003723220.tif 000004
【図４】
0003723220.tif 000005
【図５】
0003723220.tif 000006
【図６】
0003723220.tif 000007
【図７】
0003723220.tif 000008
【図８】
0003723220.tif 000009